(57)【要約】【課題】換気効率を維持又は向上させ、建屋内部への雨水の浸入を十分に防ぐルーフベンチレータを提供すること。【解決手段】自然換気を行う連続型のルーフベンチレータ１は、建物の換気用開口（２）の上部に設けられる屋根板部材（３）と、ユニットが連続する方向において互いに隣接する柱部材の間に形成される側部通気口（５ｌ、５ｒ）と、各側部通気口の外側位置で該各側部通気口に対向するように設けられる、左右対称の外板部材（１０ｌ、１０ｒ）と、を備えている。各外板部材の上部に形成される上部通気口（１５）の中央位置には、屋根板部材に向けて懸下する吹込防止板（２１）が設けられる。また、左右の外板部材の下方部には、側部通気口の下縁から外板部材の下端に向けて低くなるように傾斜する下傾斜板部材（１３、１３）が設けられる。【選択図】図２
2016133282.tif 000002
【特許請求の範囲】
【請求項１】
建物の換気用開口の上部に設けられる屋根板部材と、
前記換気用開口の幅方向における左右両縁に沿い、前記屋根板部材が連続する方向に所定の間隔をおいて複数本立設して前記屋根板部材を支承する柱部材と、
前記連続する方向において互いに隣接する前記柱部材の間に形成される側部通気口と、
前記各側部通気口との間に流路空間を確保し、該各側部通気口の両外側位置で該各側部通気口に対向するように設けられる外板部材と、を備え、
前記各外板部材の上部に形成される上部通気口の前記幅方向中央位置から前記屋根板部材に向けて懸下する吹込防止板が設けられていることを特徴とするルーフベンチレータ。
【請求項２】
前記各側部通気口の下縁から前記各外板部材の下端に向けて低くなるように傾斜する下傾斜板部材が設けられている、請求項１に記載のルーフベンチレータ。
【請求項３】
前記連続する方向の任意の位置で切断した前記吹込防止板の断面が、下方に鋭角を有するＶ字状である、請求項１又は２に記載のルーフベンチレータ。
【発明の詳細な説明】
【技術分野】
【０００１】
本発明は、建物の屋上などに設けられるルーフベンチレータに関する。
【背景技術】
【０００２】
従来、建物の屋上などに形成された換気用開口の上部に設けられ、屋内と外気との間の自然換気を行うルーフベンチレータが知られている。図５に、従来の一般的な連続型ルーフベンチレータの断面図を示す。
【０００３】
図５に示される従来のルーフベンチレータ９０は、建物の屋上に形成された換気用開口９１の上部を覆うように設けられる切妻状の屋根板部材９２を備え、この屋根板部材９２は、換気用開口９１の縁部に立設される複数本の柱部材９３、９３、・・・によって支承されている。ルーフベンチレータ９０の連続方向（図５においては紙面に直交する方向）において互いに隣接する柱部材９３、９３との間には側部通気口９４、９４が形成され、更に風雨などが側部通気口９４、９４から直接、建屋内に吹き込まないようにするために、これら側部通気口９４、９４の両外側を覆うように左右対称の外板部材９５、９５が設けられている。左右の外板部材９５、９５は、幅方向において所定の間隔を有して同じ高さで立設され、これにより外板部材９５、９５の上部に上部通気口９６が形成されている。
【０００４】
ところで、このようなルーフベンチレータ９０においては、上部通気口９６が上に向けて開口しているため、上部通気口９６から入った雨水が、直接、側部通気口９４、９４に吹き込むおそれがある。そのため、外板部材９５、９５の上部には、内側に向けて傾斜する上傾斜部９５ａ、９５ａが形成されるとともに、上傾斜部９５ａ、９５ａと同じ方向及び同じ角度で傾斜するルーバー（羽板）部材９６、９６が設けられている（例えば、特許文献１参照）。
【先行技術文献】
【特許文献】
【０００５】
【特許文献１】特開２００３−７４９２９号公報
【発明の概要】
【発明が解決しようとする課題】
【０００６】
しかし、外板部材９５、９５の上部に上傾斜部９５ａ、９５ａやルーバー部材９６、９６を設けたルーフベンチレータであっても、風雨の向きが急激に変わるような悪天候の場合には、例えば上部通気口９６の右側から入射した雨滴が左側の外板部材９５の内側で跳ね返り、左側の側部通気口９４に雨滴が間接的に浸入する場合がある（例えば図５に示す雨のラインＬ９７）。
【０００７】
また、従来のルーフベンチレータにおける外板部材９５、９５は、側部通気口９４、９４を囲むように多角形状又は円弧状に形成されている。そのため、外板部材９５内に形成される空気の流路空間内では、中段付近よりも上段付近ほうが高圧となりがちである。その一方で、自然換気のルーフベンチレータは、上部通気口９６が外気と接しており、風速によって上部通気口９６付近で大きな気圧差が生じる場合がある。そのため、上部通気口９６の付近は、空気が乱流状態となり易やすい場所でもあった。
【０００８】
換気流路内で乱流が発生すると、雨滴の移動がランダムとなり、その雨滴が側部通気口９４、９４に直接的に又は下傾斜部９５ｂ、９５ｂの内側面で跳ね返って間接的に浸入する機会も増えることとなる（例えば図５に示す雨のラインＬ９８）。そのため、側部通気口９４、９４への雨水の浸入を防ぐには、例えば換気用開口９１周囲の胴部材９７を高くすることが考えられ、その結果、側部通気口９４の有効面積が小さくなり、換気効率が悪化するという課題が存在した。
【０００９】
本発明は、このような従来の課題を解決するためになされたものであり、換気効率を維持又は向上させ、風雨が強い悪天候下であっても建屋内部への雨水の浸入を十分に防ぐことができるなどのルーフベンチレータを提供することを目的とする。
【課題を解決するための手段】
【００１０】
上述した課題を解決するため、本発明に係るルーフベンチレータは、建物の換気用開口の上部に設けられる屋根板部材と、前記換気用開口の幅方向における左右両縁に沿い、前記屋根板部材が連続する方向に所定の間隔をおいて複数本立設して前記屋根板部材を支承する柱部材と、前記連続する方向において互いに隣接する前記柱部材の間に形成される側部通気口と、前記各側部通気口との間に流路空間を確保し、該各側部通気口の両外側位置で該各側部通気口に対向するように設けられる外板部材と、を備え、前記各外板部材の上部に形成される上部通気口の前記幅方向中央位置から前記屋根板部材に向けて懸下する吹込防止板が設けられていることを特徴とする。
【００１１】
また、ルーフベンチレータは、前記各側部通気口の下縁から前記各外板部材の下端に向けて低くなるように傾斜する下傾斜板部材が設けられていることが好ましい。
【００１２】
また、ルーフベンチレータは、前記連続する方向の任意の位置で切断した前記吹込防止板の断面が、下方に鋭角を有するＶ字状であることが好ましい。
【発明の効果】
【００１３】
本発明のルーフベンチレータによれば、上部通気口の幅方向中央位置から屋根板部材に向けて懸下する吹込防止板を設けたことにより、上部通気口付近の乱流の発生を効果的に抑制することができる。
また、側部通気口の下縁から各外板部材の下端に向けて低くなるように傾斜する下傾斜板部材を備えることにより、雨水を換気用開口よりも離れた外側に集めることができ、雨滴が間接的に側部通気口に浸入する機会を減らすことができる。
したがって、側部通気口の有効面積を維持し、換気効率を悪化させることなく、雨水の浸入を十分に防ぐことができる。
【図面の簡単な説明】
【００１４】
【図１】本発明の一実施態様によるルーフベンチレータの外観斜視図である。
【図２】図１のルーフベンチレータの断面図である。
【図３】外板部材を除外し図２の矢示IIIから見たルーフベンチレータの側面図である。
【図４】図１のルーフベンチレータの作用を説明するための断面図である。
【図５】従来例によるルーフベンチレータの断面図である。
【発明を実施するための形態】
【００１５】
以下、本発明に係るルーフベンチレータとして、自然換気を行う連続型のルーフベンチレータ１の構成を、図１〜図３を参照して説明する。図１は、本発明の一実施態様によるルーフベンチレータ１の外観斜視図である。図２は、ルーフベンチレータ１の連続方向における任意の位置で切断したときの断面図である。図３は、外板部材を除外し、図２の矢示IIIから見たルーフベンチレータ１の側面図である。
【００１６】
ルーフベンチレータ１は、清掃工場などの熱の出る建物の屋根や屋上などに形成される、例えば縦長の換気用開口２の上部に設けられる。建物の屋上が陸屋根など平坦な屋根の場合には、換気用開口に立上枠２ａなどを設け、その上にルーフベンチレータ１が設置される。そのような立上枠２ａを、ルーフベンチレータ１の取付け用枠として、ルーフベンチレータ１と一体に又は別体のものとして用いてもよい。また切妻屋根の棟の部分に換気用開口が形成される建物では、傾斜する屋根を跨ぐようにして、換気用開口の上にルーフベンチレータを取り付けてもよい。
【００１７】
連続型のルーフベンチレータ１は、例えば図３に示されるように、隣接する各柱部材４、４で区分けされる部分を１つのユニットとして、複数のユニットが連続する方向に長く延びた形態を有している。なお、本明細書においては、複数のユニットが連続する方向を、「連続方向」といい、連続方向に直交する方向を「幅方向」と称している。
【００１８】
建物の換気用開口２を覆うようにその上部に設けられる屋根板部材３は、幅方向に傾斜する２枚の屋根板を有する切妻状に形成されている。屋根板部材３は、防蝕などの表面処理が施された例えば薄板の鋼板やアルミ合金などの軽金属板などから形成される。なお、屋根板部材３の材質を、透明なガラス板などで形成することで、採光用天窓としての機能を有するものでもよい。
【００１９】
屋根板部材３を支承する複数本の柱部材４、４、・・・は、換気用開口２の幅方向（図２に示す横方向）における左右両縁２ｌ、２ｒの位置であって、立上枠２ａの内側壁に接して取り付けられる。すなわち、各柱部材４の基端部分に、例えば上ブラケット４ａ及び下ブラケット４ｂが溶接などで固定され、上ブラケット４ａ及び下ブラケット４ｂで立上枠２ａを挟持してボルト締めされることで、各柱部材４が換気用開口２の両縁２ｌ、２ｒに固定される。また、柱部材４、４、・・・は、換気用開口２の左右の両縁２ｌ、２ｒに沿って、当該ルーフベンチレータ１の連続方向に所定の間隔をおいて立設されている（図３参照）。そして、互いに隣接する柱部材４、４の間には、側部通気口５ｌ、・・・、５ｒ、・・・が形成されている。
【００２０】
各柱部材４の上端部には、屋根梁部材６、６、・・・が設けられ、そして屋根梁部材６、６、・・・の上面に屋根板部材３が載置固定されている。また、幅方向において離間する２つの柱部材４、４との間には、補強用の筋交部材７、７が設けられている。
【００２１】
柱部材４、屋根梁部材６及び筋交部材７は、ルーフベンチレータ１の骨格体をなす部材であり、それらの材質としては、例えば鋼材又はアルミ合金などの軽金属材などを用いることができる。また、ユニットを工場や現場で組み立てる際の、柱部材４、屋根梁部材６及び筋交部材７などの固定及び接合方法としては、例えばボルト締めや、又は部位によっては溶接など適宜の方法を用いることができる。
【００２２】
また、図２及び図３に示されるように、左右の側部通気口５ｌ、５ｒには、外方に向けて低くなるように傾斜する２枚のルーバー部材８、８が、隣接する柱部材４、４の間を接続するように設けられている。また、換気用開口２の縁２ｌ、２ｒにかけて防水用の垂直胴板に連結する庇板部材１８、１８が設けられている。
【００２３】
また、特に図２に示されるように、ルーフベンチレータ１は、風雨などが側部通気口５ｌ、５ｒから直接、建屋内に吹き込まないようにするため、幅方向において左右対称の薄板部材である外板部材１０ｌ、１０ｒを備えている。左右の各外板部材１０ｌ、１０ｒは、各側部通気口５ｌ、５ｒと所定の距離をおいて対向し、これにより各側部通気口５ｌ、５ｒとの間で換気流路空間が確保されている。各外板部材１０ｌ、１０ｒは、垂直方向においては同じ高さで立設し、幅方向においては所定の間隔を有して離間している。これにより、外板部材１０ｌ、１０ｒの上部に上部通気口１５が形成されている。
なお、鳥や外からの飛来物が外板部材１０ｌ、１０ｒの中に入らないようにするために、上部通気口１５が、図１に示すような網部材１６により塞がれていることが望ましい。
【００２４】
また、上部通気口１５の連続方向を横切るように、複数本の梁部材２０が、左右の外板部材１０ｌ、１０ｒに架け渡されて固定されている。そして、特に図２に示されるように、梁部材２０の幅方向中央位置から屋根板部材３に向けて懸下する（垂れ下がる）吹込防止板２１が設けられている。吹込防止板２１は、ルーフベンチレータ１の連続方向に長く延び、その下方先端部分が断面において鋭角を有するＶ字状、つまり風切状に形成されている。吹込防止板２１は、２枚の板がＶ字状に対向する構造を有している。
【００２５】
このような吹込防止板２１を設けることにより、上部通気口１５付近における雨滴の左右の移動や風速を抑制し、これにより乱流状態の発生を防止する効果がある。特に、吹込防止板２１の下方先端部分が断面Ｖ字状に形成されていることにより、換気流路内における上下方向の気圧差を緩慢にして、より効果的に乱流状態を防止することができる。
【００２６】
各外板部材１０ｌ、１０ｒの上部に形成される上傾斜部１１、１１は、上部通気口１５から入った雨水が直接、側部通気口５ｌ、５ｒに入らないようにするため、内側に向けて傾斜するように形成されている。また、上傾斜部１１と平行に同じ傾斜角度を有する複数の羽板部材１７、１７、１７・・・が設けられている。上傾斜部１１及び／又は羽板部材１７により、上部通気口１５から例えば左の側部通気口５ｌに向けて斜めに入射する雨（例えば図４のラインＬ１）が遮られ、側部通気口５ｌに雨が直接入り込むのを防止している。
【００２７】
外板部材１０ｌの下方部においては、外方、つまり外板部材１０ｌの下端に向けて低くなるように傾斜する下傾斜板部材１３が設けられている。外板部材１０ｌの下端と下傾斜板部材１３の下端とは接していないか、又は所定個所で断続的に接している。これにより、外板部材１０ｌの下端と下傾斜板部材１３の下端との間に、スリット状の排水口１９ｌが形成されている。
同じく右の外板部材１０ｒの下方部においても、左側と対称的に、側部通気口５ｒの下縁から外板部材１０ｒの下端に向けて低くなるように傾斜する下傾斜板部材１３が設けられている。これにより、右の外板部材１０ｒの下端と下傾斜板部材１３の下端との間にも、左側と同様のスリット状の排水口１９ｒが形成されている。
【００２８】
本実施形態のルーフベンチレータ１は、例えば連続するユニットごとに、左右の外板部材１０ｌ、１０ｒに直交する整流板部材２２、２２、・・・を設けてもよい。このような整流板部材２２が設けられることにより、連続方向における排気や給気の流れを制限し、乱流の発生を防止し、そして換気効率の向上が見込まれる。
【００２９】
次に、かかる構成のルーフベンチレータ１の作用を、図４を参照しながら説明する。
建屋内で発生した排熱により比較的高い温度に暖められた空気（排気）は、屋上に設けられた換気用開口２を通り抜けて、屋根板部材３の下の空間に上昇する。そして、屋根板部材３の下の空間に至った排気は、左右の側部通気口５ｌ、５ｒを通り抜けて、外板部材１０ｌ、１０ｒの内側の流路空間を更に上昇し、上部通気口１５から外部に放出される。建屋内から外気を取り入れ給気することにより、ルーフベンチレータ１から自然排気され、建屋内の換気が行われる。
【００３０】
また、本実施形態のルーフベンチレータ１においては、以下説明するように、建屋内への風雨の吹き込みや雨水の浸入を効果的に防止することができる。
【００３１】
（１）まず、ルーフベンチレータ１は、左右の側部通気口５ｌ、５ｒの外側位置で、該各側部通気口に対向して覆うように設けられる外板部材１０ｌ、１０ｒを備えている。左右の外板部材１０ｌ、１０ｒが、例えば横から吹き付ける風雨を遮り、側部通気口５ｌ、５ｒに雨水が直接吹き込むのを防止する。
【００３２】
（２）また、外板部材１０ｌ、１０ｒの上部に形成された上傾斜部１１及び羽板部材１７、１７、・・・が、例えば図４の雨のラインＬ１で示される、上部通気口１５に斜めに入射する風雨が遮られ、側部通気口５ｌに雨水が直接吹き込むのを防止する。また、例えば図４の雨のラインＬ２で示されるように、強い横風が上部通気口１５に一旦入ったとしても、吹込防止板２１によって遮られ、その大部分が外に向けて吹き上げられる。また、左からの横風の一部は吹込防止板２１に当たり、そこで風速が弱められるので、左側の屋根板部材３に落ちることとなる。つまり、吹込防止板２１よりも左から入った風雨が、直接右側の空間内に入り込むことは殆どない。
【００３３】
（３）また、上部通気口１５から直接入り又は羽板部材１７で跳ね返った雨滴は、例えば図４のラインＬ３で示されるように外板部材１０ｌの内側面を流れ落ち、その下端の排水口１９ｌから外部へ排水される。また、屋根板部材３の上を流れる雨水も、外板部材１０ｌ、１０ｒに落ち、最終的に排水口１９ｌ、１９ｒから排出される。
【００３４】
（４）また、略垂直に入射して外板部材１０ｌ、１０ｒの内側面で跳ね返った雨滴や、下傾斜板部材１３、１３に落ちた雨水は、例えば図４のラインＬ４で示されるように外板部材１０ｌの側へ跳ね返されるか、又は、例えばラインＬ５で示されるように下傾斜板部材１３を流れ落ちて、結局は排水口１９ｒから排出される。
【００３５】
（５）このように、上部通気口１５から入った殆どの雨水が、建物の換気用開口２から外側に離れた左右の排水口１９ｌ、１９ｒに集められる。そして、左右の下傾斜板部材１３、１３が、それぞれ外方に向けて低くなるように傾斜していることにより、高い位置にある換気用開口２へは水が流れず、開口の縁２ｌ、２ｒの接合部分からの水漏れを、ほぼなくすことができる。
【００３６】
（６）また、ルーフベンチレータ１は、上部通気口１５の幅方向中央位置に吹込防止板２１を設けたことにより、上部通気口１５付近での風雨の左右の流れや風速を抑制する。これにより、風雨が強い悪天候下であっても、上部通気口１５付近における乱流の発生を防止することができる。特に、本実施形態では、吹込防止板２１の下方先端部分が断面Ｖ字状に形成されていることにより、換気流路内の気圧差を緩慢にして、より効果的に乱流を抑制することができる。
【００３７】
（７）換気流路内の乱流が抑制されると、ルーフベンチレータ１の換気効率が向上する。また、雨滴がランダムに側部通気口５ｌ、５ｒに吹き込むこともなくなる。したがって、側部通気口５ｌ、５ｒの有効面積を維持したまま、つまり換気効率を悪化させることなく、建屋内への風雨の吹き込みや雨水の浸入を効果的に防止することができる。
【符号の説明】
【００３８】
１  ルーフベンチレータ
２  換気用開口
２ｌ、２ｒ  縁
２ａ  立上枠
３  屋根板部材
４  柱部材
５ｌ、５ｒ  側部通気口
６  屋根梁部材
７  筋交部材
８  ルーバー部材
１０（１０ｌ、１０ｒ）  外板部材
１１  上傾斜部
１３  下傾斜板部材
１５  上部通気口
１６  網部材
１７  羽板部材
１８  庇板部材
１９ｌ、１９ｒ  排水口
２０  梁部材
２１  吹込防止板
２２  整流板部材
【図１】
2016133282.tif 000003
【図２】
2016133282.tif 000004
【図３】
2016133282.tif 000005
【図４】
2016133282.tif 000006
【図５】
2016133282.tif 000007
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
建物の換気用開口の上部に設けられる切妻状の屋根板部材と、
前記換気用開口の幅方向における左右両縁に沿い、前記屋根板部材が連続する方向に所定の間隔をおいて複数本立設して前記屋根板部材を支承する柱部材と、
前記連続する方向において互いに隣接する前記柱部材の間に形成される側部通気口と、
前記各側部通気口との間に流路空間を確保し、該各側部通気口の両外側位置で該各側部通気口に対向するように設けられる外板部材と、を備え、
前記各外板部材の上部に形成される上部通気口の前記幅方向中央位置から前記屋根板部材の頂部に向けて懸下する吹込防止板が設けられていることを特徴とするルーフベンチレータ。
【請求項２】
前記各側部通気口の下縁から前記各外板部材の下端に向けて低くなるように傾斜する下傾斜板部材が設けられている、請求項１に記載のルーフベンチレータ。
【請求項３】
前記連続する方向の任意の位置で切断した前記吹込防止板の断面が、下方に鋭角を有するＶ字状である、請求項１又は２に記載のルーフベンチレータ。